(57)【要約】複合保護布地から作られた服が開示されている。複合布地は、織られたステンレス鋼メッシュの金属メッシュ層に近接して配置された織物層を有する。適切な繊維を形成する任意の金属から形成された金属メッシュ層。織物層は、パラアラミド繊維、メタアラミド繊維、超高分子量ポリエチレン繊維、ポリエチレンテレフタレート繊維、セルロース繊維、ポリアミド繊維、パラアラミド繊維とメタアラミド繊維との混合物およびパラアラミド繊維と炭素繊維との混合物を含むものから選択される周知の布地繊維で形成された布地である。非金属織物層の形成は、織り、編み、かぎ針編み、ノッティング、フェルト製法またはそれらの組み合わせを含む糸を織り交ぜるための任意の適切な方法による。その布地を使用して作られた服には、手袋、防弾チョッキ、チェーンソー耐性のズボンが含まれる。
2020521062.tif 000002
【特許請求の範囲】
【請求項１】
人間が着用可能な防護服であって、
内側保護層と；
外側保護層と；
１つ以上の第１の織物層と；
１つ以上の金属メッシュ層と、を含み、
前記第１の織物層は、メタアラミド繊維、超高分子量ポリエチレン繊維、ポリエチレンテレフタレート繊維、セルロース繊維、ポリアミド繊維、パラアラミド繊維とメタアラミド繊維との混合物およびパラアラミド繊維と炭素繊維との混合物、またはそれらの組み合わせのうちの１つから選択される繊維で構成される糸を含み、
前記第１の織物層は、織り、編み、かぎ針編み、ノッティングおよびフェルト製法またはそれらの組み合わせから選択される方法によって前記繊維からのものであり、
前記金属メッシュ層は、アルミニウム、ベリリウム、クロム、コバルト、銅、エルビウム、金、インジウム、鉄、鉛、マンガン、ニッケル、プラチナ、カリウム、銀、タンタル、スズ、チタン、タングステン、ウラン、亜鉛、ジルコニウム、それらの組み合わせまたはそれらの合金で構成される繊維の１つから選択される金属繊維を含み、
前記第１の織物層および前記金属メッシュ層は、前記内側保護層と前記外側保護層との間に挟まれており、前記内側保護層および前記外側保護層は、前記保護層の周辺で接合されている、防護服。
【請求項２】
前記着用可能な防護服が、手袋、膝保護具、保護スリーブ、チェーンソーパンツ、レッグプロテクター、保護ベスト、ヘルメット、保護ジャケットおよび保護靴のうちの１つである、請求項１に記載の人間が着用可能な防護服。
【請求項３】
前記着用可能な服が、手袋であり、
前記金属メッシュ層は、象パターンの形状に成形されており、前記象パターンは、親指伸張部を有する第１の手のひら領域と、４つの指伸張部を有する第２の手のひら領域とを含み、
前記第１の手のひら領域および第２の手のひら領域は、下部手のひら端に沿って接合されており、
前記金属メッシュ層は、前記指伸張部の少なくとも１つの方向に対してバイアスカットされており、
前記金属メッシュ層は、前記手袋内に配置されたときに、前記象パターンの下部手のひら端に沿って折り畳まれている、請求項１に記載の人間が着用可能な防護服。
【請求項４】
前記第１の織物層は、前記織りの方法により形成されており；
前記糸は、超高分子量ポリエチレン繊維の１０デシテックス以下の繊維で構成されており；
前記金属メッシュ層は、０．２ｍｍ以下の直径および０．４５ｍｍ以下のメッシュ開口を有するステンレス鋼繊維で構成されている、請求項３に記載の手袋。
【請求項５】
前記第１の織物層は、前記織りの方法により形成されており；
前記糸は、ポリエチレンテレフタレート繊維の１０デシテックス以下の繊維で構成されており；
前記金属メッシュ層は、０．２ｍｍ以下の直径および０．４５ｍｍ以下のメッシュ開口を有するステンレス鋼繊維で構成されている、請求項３に記載の手袋。
【請求項６】
前記外側層が、ラテックス、ネオプレン、ニトリルおよびビニルのうちの１つで構成されている、請求項３に記載の手袋。
【請求項７】
前記外側層が、ニトリルで構成されている、請求項５に記載の手袋。
【請求項８】
１以上の第２の織物層をさらに含み、
前記第２の織物層は、パラアラミド繊維で構成される糸を含み、
前記金属メッシュ層は、前記第１の布地層と前記第２の布地層との間に挟まれおり、それは、前記内側保護層と前記外側保護層との間に挟まれており、
前記内側保護層および前記外側保護層は、前記保護層の周辺で接合されている、請求項１に記載の人間が着用可能な防護服。
【請求項９】
前記第１の織物層は、パラアラミド繊維、メタアラミド繊維、ポリエチレンテレフタレート繊維、セルロース繊維、ポリアミド繊維、パラアラミド繊維とメタアラミド繊維との混合物、およびパラアラミド繊維と炭素繊維との混合物のうちの１つで構成される繊維を含む糸を含み、
超高分子量ポリエチレン繊維で構成される糸を含む１以上の第２の織物層をさらに含み、
前記金属メッシュ層は、前記第１の布地層と前記第２の布地層との間に挟まれており、それは、前記内側保護層および前記外側保護層の間に挟まれており、
前記内側保護層および前記外側保護層は、前記保護層の周辺で接合されている、請求項１に記載の人間が着用可能な防護服。
【請求項１０】
前記着用可能な服が、手袋、膝保護具、スリーブ、チェーンソーパンツ、レッグプロテクター、ベスト、ヘルメットおよび靴のうちの１つである、請求項７に記載の人間が着用可能な防護服。
【請求項１１】
前記着用可能な服が、手袋であり、
前記金属メッシュ層は、象パターンの形状に成形されており、前記象パターンは、親指伸張部を有する第１の手のひら領域と、４つの指伸張部を有する第２の手のひら領域とを含み、
前記第１の手のひら領域および第２の手のひら領域は、下部手のひら端に沿って接合されており、
前記金属メッシュ層は、前記指伸張部の少なくとも１つの方向に対してバイアスカットされており、
前記金属メッシュ層は、前記手袋内に配置されたときに、前記象パターンの下部手のひら端に沿って折り畳まれている、請求項１に記載の人間が着用可能な防護服。
【請求項１２】
前記第１の織物層は、前記織りの方法により形成されており；
前記糸は、超高分子量ポリエチレン繊維の１０デシテックス以下の繊維で構成されており；
前記金属メッシュ層は、０．２ｍｍ以下の直径および０．４５ｍｍ以下のメッシュ開口を有するステンレス鋼繊維で構成されている、請求項１０に記載の手袋。
【請求項１３】
前記第１の織物層は、前記織りの方法により形成されており；
前記糸は、ポリエチレンテレフタレート繊維の１０デシテックス以下の繊維で構成されており；
前記金属メッシュ層は、０．２ｍｍ以下の直径および０．４５ｍｍ以下のメッシュ開口を有するステンレス鋼繊維で構成されている、請求項１０に記載の手袋。
【発明の詳細な説明】
【技術分野】
【０００１】
本発明は、優れた耐切断性および耐穿刺性を有する複合布地から作られた衣服に関し、より詳細には、金属メッシュの層と、織物の非金属繊維の織物層との組み合わせを有する布地から作られた衣服に関し、非金属繊維は、メタアラミド繊維、超高分子量ポリエチレン繊維、ポリエチレンテレフタレート繊維、セルロース繊維、ポリアミド繊維、パラアラミド繊維とメタアラミド繊維との混合物、およびパラアラミド繊維と炭素繊維との混合物の群から選択される１つを含む。
【背景技術】
【０００２】
例えば、Ｋｅｖｌａｒ（商標）、Ｈｏｎｅｙｗｅｌｌ  Ｓｐｅｃｔｒａ（商標）、Ｄｙｎｅａ（商標）、Ｂｌａｃｋ  Ｋｅｖｌａｒ（商標）、およびそれらの組み合わせなどのパラアラミド合成繊維で織られた布地から作られた防護服は、弾道穿刺に対する優れた耐性を示し、軽量の防弾ボディアーマーの構築に成功している。例えば、Ｎｏｍｅｘ（商標）などの他の材料は、耐熱性に非常に優れており、例えば、消防士、レースカーのドライバーおよび軍の乗務員などの個人用の耐火性衣服に使用される。しかし、その材料は、カットおよびスラッシュ攻撃ならびに針による穿刺に対する平均的な抵抗力しかない。したがって、例えば、パラアラミドベースのボディアーマーなどの材料から作られた衣服は、銃の攻撃に対する良好な保護を提供するが、ナイフまたは針の脅威に対しては特に効果的ではない。
【０００３】
必要とされるのは、弾道穿刺または熱または化学的攻撃に対する高い耐性と、カットおよびスラッシュ攻撃ならびに穿刺攻撃に対する高い耐性との組み合わせを提供する軽量布地から作られた衣服である。また、このような布地の組み合わせを使用して、例えば、手袋および他の耐攻撃性衣類などの軽量で柔軟な衣類を容易に製造できることが望ましい。
【０００４】
関連する先行技術は、以下を含む：
２００３年６月２４日にＡｎｄｒｅｓｅｎに発行された「Ｐｒｏｔｅｃｔｉｖｅ  ｇａｒｍｅｎｔ」と題する米国特許６，５８１，２１２は、切り傷または刺し傷に対する体の部分の保護用の防護服であって、内側層と、保護層と、外側層とを含み、保護層は、編まれた金属ワイヤーのワイヤーメッシュで構成され、金属ワイヤーの厚さは、０．０３ｍｍ〜０．２０ｍｍであり、ワイヤーメッシュの開口は、０．０５ｍｍ〜０．４５ｍｍである、防護服を記載している。
【０００５】
当技術分野では様々な実施が知られているが、それは、本明細書で説明する本発明によって解決される問題のすべてに対処することはできない。本発明の様々な実施形態が添付の図面に示されており、本明細書で以下により詳細に説明される。
【発明の概要】
【０００６】
新規の複合保護布地から作られた独創的な防護服が開示されている。
【０００７】
好ましい実施形態では、金属メッシュ層が非金属織物層の近くに配置されている複合布地から人間が着用可能な防護服を作ることができる。
【０００８】
金属メッシュ層は、例えば、アルミニウム、ベリリウム、クロム、コバルト、銅、エルビウム、金、インジウム、鉄、鉛、ニッケル、白金、銀、タンタル、スズ、タングステン、ウラン、亜鉛、およびジルコニウム、それらの組み合わせまたはそれらから形成される合金などの、適切な繊維が形成され得る任意の金属から形成され得る。
【０００９】
非金属織物層は、例えば、パラアラミド繊維、メタアラミド繊維、超高分子量ポリエチレン繊維、ポリエチレンテレフタレート繊維、セルロース繊維、ポリアミド繊維、パラアラミド繊維とメタアラミド繊維との混合物、およびパラアラミド繊維と炭素繊維との混合物などの周知の布地繊維を含む繊維から形成された布地であってもよい。
【００１０】
非金属織物層を形成することは、例えば、織り、編み、かぎ針編み、ノッティング、またはフェルト製法などの糸を織り交ぜるための任意の適切な方法によって形成されてもよい。
【００１１】
そのような組み合わせの潜在的な有効性は、織物層の繊維がパラアラミド繊維である例によって説明することができる。そのような織物層をステンレス鋼メッシュの層の近くに配置すると、各層の組み合わせた弾道保護と針保護とを維持しながら、各層の耐カット性および耐穿刺性の線形結合から予想されるよりも３０％〜４０％大きい耐穿刺の驚くべき特性を有する複合材料を生成することがわかった。したがって、他の周知の布地繊維で作られた布地層を組み合わせることにより、同様に驚くほど強化された組み合わせ保護特性が得られる。
【００１２】
好ましい実施形態では、１つ以上の織物層が、１つ以上の金属メッシュ層に近接して配置されることができ、１つ以上の織物層が、内側保護層と外側保護層の周囲で接合され得る内側保護層と外側保護層との間に挟まれ得る衣服が作られ得る。
【００１３】
好ましい実施形態では、織物層は、１０デシテックス以下の繊維でできていてもよく、一方、金属メッシュ層１２５は、好ましくは０．２ｍｍ以下の直径を有するステンレス鋼繊維から織られ、０．４５ｍｍ以下のメッシュ開口を有してもよい。
【００１４】
本発明のさらに好ましい実施形態では、複合布地は、少なくとも３層を有することができ、第１の織物層と第２の織物層との間に挟まれた金属メッシュ層の形態であり得る。第１の織物層の繊維は、例えば、パラアラミド繊維、メタアラミド繊維、超高分子量ポリエチレン繊維、ポリエチレンテレフタレート繊維、セルロース繊維、ポリアミド繊維、パラアラミド繊維とメタアラミド繊維との混合物、およびパラアラミド繊維と炭素繊維との混合物などの周知の布地繊維であってもよく、一方、第２の織物層の繊維は、第１の織物層で使用される繊維以外のその群のいずれか１つであってもよい。
【００１５】
以下でより詳細に説明するように、第１の織物層、第２の織物層および金属メッシュ層の数と配置は、さまざまな着用可能な防護服の製造での使用に適した材料に合わせてさまざまな方法で調整することができ、その防護服は、例えば、手袋、耐攻撃性ベスト、保護パンツ、保護レギンス、膝保護具、保護スリーブ、「チェーンソー」パンツ、保護ベスト、ヘルメットとヘッドギア、保護ジャケットと保護靴である。
【００１６】
したがって、本発明は、以下および言及されていない他の望ましい有用な利益および目的を付与することに成功する。
【００１７】
本発明の目的は、高レベルの弾道、カットおよびスラッシュ、穿刺および針保護ならびに熱保護などの特性の組み合わせが可能な改善された着用可能な防護服を提供することである。
【００１８】
本発明の別の目的は、防護服用の費用効果の高い軽量材料を提供することである。
【図面の簡単な説明】
【００１９】
【図１Ａ】図１Ａは、本発明の一実施形態の保護複合布地の層の概略切り取り等角図を示す。
【図１Ｂ】図１Ｂは、本発明のさらなる実施形態の保護複合布地の層の概略切り取り等角図を示す。
【図２Ａ】図２Ａは、本発明の一実施形態の保護手袋の概略平面図、および手袋の選択された部分の概略断面図を示す。
【図２Ｂ】図２Ｂは、本発明のさらなる実施形態の保護手袋の概略平面図、および手袋の選択された部分の概略断面図を示す。
【図３】図３は、本発明の一実施形態の象パターンの切り抜きの概略平面図を示す。
【図４】図４は、本発明の一実施形態の折り畳まれた象パターン層の概略平面図を示す。
【図５】図５は、織布地のバイアスカットの概略図を示す。
【図６】図６は、本発明の一実施形態の保護ベストの一部の構成要素の概略分解等角図を示す。
【図７】図７は、本発明の一実施形態の織り合わせた繊維布の概略平面図を示す。
【図８】図８は、切り取られた親指伸張部および切り取られた指伸張部を有する本発明の一実施形態の折り畳まれた象パターン層の概略平面図を示す。
【図９Ａ】図９Ａは、本発明の一実施形態の扇型３ピース手袋パターンの切り抜きの概略平面図を示す。
【図９Ｂ】図９Ｂは、本発明の一実施形態の組み立てられた扇型３ピース手袋パターンの概略平面図を示す。
【図１０Ａ】図１０Ａは、本発明の一実施形態の七面鳥型３ピース手袋パターンの切り抜きの概略平面図を示す。
【図１０Ｂ】図１０Ｂは、本発明の一実施形態の組み立てられた七面鳥型３ピース手袋パターンの概略平面図を示す。
【図１１】図１１は、本発明の一実施形態の保護パンツの概略正面図とともに、断面線での複合布地構造の概略図を示す。
【図１２】図１２は、着用されている本発明で具体化された人間の着用可能な防護服の概略正面図を示す。
【図１３】図１３は、本発明の一実施形態の保護ベストの概略正面図を示す。
【発明を実施するための形態】
【００２０】
次に、本発明の好ましい実施形態を図面を参照してより詳細に説明する。図面では、様々な図の同一の要素は、可能な限り同一の参照番号で識別される。これらの実施形態は、本発明の説明のために提供されるものであり、本発明を限定することを意図するものではない。当業者は、本明細書を読み、本図面を見ると、それに対して様々な修正および変形がなされ得ることを理解し得る。
【００２１】
図１は、本発明の一実施形態の保護複合布地１０５の層の概略切り取り等角図である。
【００２２】
保護複合布地１０５は、例えば、金属メッシュ層１２５に隣接する第１の織物層１２１を有し、これら両方の層が、外側保護層１１５と内側保護層１１０との間に挟まれている。内側および外側保護層は、例えば、綿、羊毛、絹、リネン、ポリエステルまたはそれらの組み合わせから形成された布地など、衣服に着用するのに適した任意の布地であってもよい。
【００２３】
好ましい実施形態では、第１の織物層１２１は、メタアラミド繊維、超高分子量ポリエチレン繊維、ポリエチレンテレフタレート繊維、セルロース繊維、ポリアミド繊維、パラアラミド繊維とメタアラミド繊維との混合物およびパラアラミド繊維と炭素繊維との混合物のいずれかである繊維で構成される糸を使用して形成される。より好ましい実施形態では、繊維は、１０デシテックス以下であり、最も好ましい実施形態では、繊維は、２デシテックス以下である。
【００２４】
織物層は、例えば、織り、編み、かぎ針編み、ノッティング、フェルト製法またはそれらの組み合わせなどの糸を織り交ぜる適切な方法によって形成されてもよい。
【００２５】
メタアラミド繊維は周知であり、例えば、商標名ＮＯＭＥＸでドイツのＥ．Ｉ．ｄｕ  Ｐｏｎｔ  ｄｅ  Ｎｅｍｏｕｒｓ  ａｎｄ  Ｃｏｍｐａｎｙ  ｏｆ  Ｗｉｌｍｉｎｇｔｏｎから販売されている。化学組成は、ポリ（メタフェニレンイソフタルアミド）である。それらは、デュポン社からケブラー（商標）の商品名で販売されている、ポリ（パラフェニレンテレフタルアミド）の化学組成を有するパラアラミド繊維に関連している。パラアラミドは、例えば、２０１７年５月９日にＡｎｄｒｅｓｅｎに発行された「Ｃｏｍｐｏｓｉｔｅ，  ｐｒｏｔｅｃｔｉｖｅ  ｆａｂｒｉｃ  ａｎｄ  ｇａｒｍｅｎｔｓ  ｍａｄｅ  ｔｈｅｒｅｏｆ」と題する米国特許９６４４９２３に詳細に記載されており、その内容全体が参照により本明細書に組み込まれる。
【００２６】
超高分子量ポリエチレン繊維は、例えば、ニュージャージー州モリスタウンのＨｏｎｅｙｗｅｌｌ  Ｉｎｔｅｒｎａｔｉｏｎａｌ  Ｉｎｃ．からＨｏｎｅｙｗｅｌｌ  Ｓｐｅｃｔｒａ（商標）繊維として、およびオランダのＨｅｅｒｌｅｎのＫｏｎｉｎｋｌｉｊｋｅ  ＤＳＭ  Ｎ．ＶからＤｙｎｅｅｍａ（商標）繊維として販売されている。
【００２７】
超高分子量ポリエチレン繊維は、軽量で高強度の材料をもたらす。その降伏強度は、２．４ＧＰａ（３５０，０００ｐｓｉ）と高く、その比重は、０．９７と低い。高強度鋼の降伏強度は、同程度であり、低炭素鋼の降伏強度は、はるかに低い（約０．５ＧＰａ）。鋼の比重は、約７．８であるため、これらの材料の強度と重量の比は、鋼の８〜１５倍におよぶ。
【００２８】
その繊維は、装甲、特に個人装甲で使用され、場合によっては車両装甲および耐切断手袋として使用される。
【００２９】
ポリエチレンテレフタレート繊維は、一般にポリエステル繊維として知られており、例えば、サウスカロライナ州トレントンのＵＳ  Ｆｉｂｅｒｓによって販売されている。
【００３０】
セルロース繊維は、天然繊維であり、合成でも製造されている。天然繊維には綿と麻繊維が含まれ、麻繊維はリニンなどの布地に織り込まれている。合成セルロース繊維は、一般にレーヨンとして知られており、例えば、インドのムンバイのＧｒａｓｉｍ  Ｉｎｄｕｓｔｒｉｅｓ  Ｌｔｄ．からＶｉｓｃｏｓｅ  Ｓｔａｐｌｅ  Ｆｉｂｒｅ（商標）として販売されている。
【００３１】
ポリアミド繊維は、一般にナイロンとして知られており、様々なポリアミドポリマー繊維が、ドイツのＥ．Ｉ．  ｄｕ  Ｐｏｎｔ  ｄｅ  Ｎｅｍｏｕｒｓ  ａｎｄ  Ｃｏｍｐａｎｙ  ｏｆ  Ｗｉｌｍｉｎｇｔｏｎ，ＣｏｍｐａｎｙによってＥｌｖａｍｉｄｅ（商標）の商品名で販売されている。
【００３２】
パラアラミド繊維とメタアラミド繊維との混合物は、あまり知られていないが、アラミドはよく知られており、例えば、ドイツのＥ．Ｉ．  ｄｕ  Ｐｏｎｔ  ｄｅ  Ｎｅｍｏｕｒｓ  ａｎｄ  Ｃｏｍｐａｎｙ  ｏｆ  Ｗｉｌｍｉｎｇｔｏｎから商標名ＫｅｖｌａｒおよびＮｏｍｅｘとして販売されている。それらの強度と耐熱性のために、その材料は、しばしば使用されるが、典型的には別々の層で、消防士のスーツ、レースカーのドライバーのスーツ、空軍のパイロットのスーツなどの防護服に使用される。
【００３３】
パラアラミド繊維と炭素繊維との混合物である繊維から織られた材料は、よく知られており、例えば、ドイツのＥ．Ｉ．  ｄｕ  Ｐｏｎｔ  ｄｅ  Ｎｅｍｏｕｒｓ  ａｎｄ  Ｃｏｍｐａｎｙ  ｏｆ  Ｗｉｌｍｉｎｇｔｏｎから商品名Ｂｌａｃｋ  Ｋｅｖｌａｒで販売されている。
【００３４】
金属メッシュ層１２５は、例えば、アルミニウム、ベリリウム、クロム、コバルト、銅、エルビウム、金、インジウム、鉄、鉛、ニッケル、白金、銀、タンタル、スズ、タングステン、ウラン、亜鉛、およびジルコニウム、それらの組み合わせまたはそれらの合金などの有用な繊維を形成することができる任意の金属から作られてもよい。
【００３５】
金属メッシュは、例えば、織り、編み、かぎ針編み、ノッティング、フェルト製法またはそれらの組み合わせなどの糸を織り交ぜる任意の適切な方法によって形成されてもよい。
【００３６】
本発明の好ましい実施形態では、そのメッシュは、好ましくは織られた金属メッシュであり、より好ましくは、直径が０．２ｍｍ以下でメッシュ開口が０．４５ｍｍ以下のステンレス鋼繊維の織られたメッシュである。そのようなメッシュは、カットおよびスラッシュ貫通および針刺し貫通に対して良好な耐性を有することが見出されており、例えば、２００３年６月２４日にＡｎｄｒｅｓｅｎに発行された米国特許第６，５８１，２１２号に記載されている保護手袋などの防護服に使用されており、その内容はその全体が参照により本明細書に組み込まれる。
【００３７】
好ましい実施形態では、第１の織物層１２１および金属メッシュ層１２５は、外側保護層１１５と内側保護層１１０との間に挟まれてもよく、内側および外側保護層は、衣服片の周辺で、例えば、縫い付けまたは接着、溶接、ステープル留めもしくはそれらの組み合わせなどの他の接合機構によって接合されてもよい。
【００３８】
外側保護層１１５は、追加でまたは代わりに、例えば、ラテックス、ネオプレン、ニトリル、ビニルまたはそれらの組み合わせなどの液体バリア材料で構成されてもよい。
【００３９】
図１Ｂは、本発明のさらなる実施形態の保護複合布地の層の概略切り取り等角図を示す。
【００４０】
図１Ｂに示すように、二織物保護複合布地１０６は、第１の織物層１２１と第２の織物層１２２との間に挟まれた金属メッシュ層１２５を有することができる。次に、そのサンドイッチは、内側保護層１１０と外側保護層１１５との間に挟まれてもよい。
【００４１】
第１の織物層１２１の繊維は、例えば、パラアラミド繊維、メタアラミド繊維、超高分子量ポリエチレン繊維、ポリエチレンテレフタレート繊維、セルロース繊維、ポリアミド繊維、パラアラミド繊維とメタアラミド繊維との混合物およびパラアラミド繊維と炭素繊維との混合物などの周知の布地繊維であってもよく、第２の織物層１２２の繊維は、第１の織物層で使用される繊維以外のその群のうちのいずれか１つでもよい。
【００４２】
図２Ａは、本発明の一実施形態の保護手袋１７０の概略平面図および手袋１７０の選択された部分１８０の概略断面図を示す。
【００４３】
手袋の部分断面１８０は、線１７５に沿って示されている。手袋の部分断面１８０は、手のための空間１９５によって分離された手袋の上部１８５および手袋の下部１９０を示している。手袋の上部１８５は、外側保護層２０５と内側保護層２１０を有し、その間に複数の金属メッシュ層１２５と第１の織物層１２１が挟まれているように示されている。手袋の下部１９０も同様に、金属メッシュ層１２５および第１の織物層１２１が外側保護層２０５と内側保護層２１０との間に挟まれているように示されている。手袋の上部および下部の両方において、内部保護層２１０は、手のための空間１９５に最も近い状態で示されており、マイクロフレックス布地層１２０は、内側保護層２１０に近接して示されている。そのような配置は、例えば、手袋の外側からの穿刺攻撃に抵抗するのによく適した材料を提供し得る。
【００４４】
図２Ａは、４つの金属メッシュ層１２５と１つの第１の織物層１２１を示している。そのような配置は、例えば、耐摩耗性、耐刃切断性、耐引裂性および耐穿刺性に関するＥＮ３８８試験などの特定の性能レベルを満たす経済的な手袋をもたらすことがあるが、コスト、性能、柔軟性および快適性またはそれらの組み合わせなどの要素に関してより有利であり得る他の構成があり得る。
【００４５】
複合材料は、例えば、互い違いにされ得る複数の第１の織物層１２１および金属メッシュ層１２５を有し得る。そのような配置は、例えば、上記の層間の仮定された相乗効果を増大させる可能性がある。
【００４６】
複合材料は、例えば、手袋の上部１８５および手袋の下部１９０のいずれかまたは両方の外側保護層２０５および内側保護層２１０の両方に隣接する１つ以上の第１の織物層１２１を有してもよい。そのような配置は、例えば、屈曲による破裂に対する手袋の内側の抵抗を増大させ得る。
【００４７】
図２Ｂは、本発明のさらなる実施形態の保護手袋の概略平面図およびその手袋の選択された部分の概略断面図を示す。
【００４８】
本発明の一実施形態の保護手袋１７１および手袋１７１の選択された部分１８０の概略断面図。
【００４９】
手袋の部分断面１８０は、線１７５に沿って示されている。手袋の部分断面１８０は、手のための空間１９５によって分離された手袋の上部１８５および手袋の下部１９０を示している。手袋の上部１８５は、外側保護層２０５と内側保護層２１０とを有し、その間に第１の織物層１２１と第２の織物層１２２との間の金属メッシュ層１２５のサンドイッチがあるように示されている。手袋の下部１９０は同様に、外側保護層２０５と内側保護層２１０を有し、その間に第１の織物層１２１と第２の織物層１２２の間に金属メッシュ層１２５のサンドイッチがあるように示されている。
【００５０】
図３は、本発明の一実施形態の象パターン１３０の切り抜きの概略平面図を示す。
【００５１】
象パターン１３０は、例えば、下部手のひら端１５５を介して、１つ以上の指伸張部１５０を有する第２の手のひら領域１４５に取り付けられ得る、一体型親指伸張部１４０を有する第１の手のひら領域１３５を有し得る。第１の手のひら領域１３５を第２の手のひら領域１４５に取り付けることは、例えば、下部手のひら端１５５を介してもよい。
【００５２】
本発明の好ましい実施形態では、象パターン１３０に切断される布地は、１つ以上の指伸張部１５０がその指伸張部の方向１６０に対してバイアスカット１６５されるように配置されてもよい。そのような配置は、手袋の指部分の柔軟性を高めるという利点を有し得る。
【００５３】
象パターン１３０の好ましい実施形態では、形状は、１つ以上の指伸張部がその指伸張部の方向に対してバイアスカットされるように布地が配置されるとき、親指伸張部１４０もまた親指伸張部の方向１６２に対するバイアスカットであるような形状である。
【００５４】
好ましい実施形態では、バイアスカットはより多くの廃棄物を生ずる傾向があるため、バイアスカットは、金属メッシュ層１２５にのみ使用されてもよい。しかし、バイアスカットによって導入された追加の柔軟性により、１つ以上の第１の織物層１２１および／または第２の織物層１２２についてさえも好ましい方法になる場合があり得る。
【００５５】
図４は、本発明の一実施形態の折り畳まれた象パターン層２１５の概略平面図を示す。
【００５６】
折り畳まれた象パターン層２１５は、その構造が手袋ですぐに使用できるように、象パターンの２つの手のひら領域を接合する下部手のひら端１５５に沿って折り畳まれて示されている。折り畳まれた象パターン層２１５は、穿刺に対する手袋の最も脆弱な部分である手袋の手のひら領域が金属メッシュの二重層を有するという追加の利点を有する。
【００５７】
図５は、布地２３０のバイアスカットの概略図を示す。示されるように、バイアスカット１６５は、布地の縦糸２２０および横糸２２５の両方に対して約４５度である。
【００５８】
図６は、本発明の一実施形態の保護ベスト２６０の一部の構成要素の概略分解等角図を示す。
【００５９】
図６に示すように、保護ベスト２６０の胸部または背部は、外側保護層１１５、外側保護層１１５に隣接する複数の織物層２４０または織物層２４０の第１の束、複数の金属メッシュ層２４５または金属メッシュ層２４５の第１の束および内側保護層１１０を有することができる。その衣服が着用者に最も近い内側保護層１１０と、織物層２４０の第１の束と、着用者から最も外側の外側保護層１１５で着用される場合、この配置は、着用者への弾道攻撃に対する優れた保護をもたらし得る。
【００６０】
外側および内側保護層は、例えば、綿、デニム、羊毛、シルク、リネン、竹、またはそれらの組み合わせなどの適切に着用可能な布地で作られてもよい。
【００６１】
複数の織物層２４０または織物層２４０の第１の束は、内部を横切って延びる縫い合わせ２５５によって互いに接合されてもよい。これに対して、複数の金属メッシュ層２４５または金属メッシュ層２４５の束は、周辺縫い２５０によって互いに接合されてもよい。接合は、さらにまたは代わりに、例えば、接着、溶接、ステープル留めまたはそれらの組み合わせなどの手段によって達成され得る。
【００６２】
好ましい実施形態では、複数の金属メッシュ層２４５または金属メッシュ層２４５の束は、周辺縫い２５０によって、それらに取り付けられた１つ以上の織物層を有してもよい。これらの層は、複数の金属メッシュ層２４５または金属メッシュ層２４５の束の一方の側または両側にあってもよい。周辺縫い２５０で周囲に取り付けられた織物層は、例えば、刺す、カット、スラッシュ、針攻撃またはそれらの組み合わせなどの穿刺攻撃に対する強化された保護を提供することができる。
【００６３】
本発明の好ましい実施形態では、２０〜２８個の織物層と８〜１２個の金属メッシュ層があってもよく、より好ましい実施形態では、２４個の織物層と１０個の金属メッシュ層がある。
【００６４】
しかしながら、当業者は、図６に示され、上記で説明された保護複合布地が様々な他の防護服で使用され得ることを理解するであろう。例えば、このような材料を組み込んで作られたズボンまたはレギンスは、例えば、チェーンソーなどの産業用切断機械などの穿刺攻撃に対して著しい保護を提供し得る。同様に、材料またはその変形は、例えば、靴、ブーツ、手袋、ヘッドギアまたはスリーブなどの保護衣料の他のアイテムに組み込まれてもよい。
【００６５】
図７は、本発明の一実施形態の織り合わせた織物／金属繊維布地２６５の概略平面図を示す。
【００６６】
上記のように、出願人は、特定の織物層を金属メッシュ層と組み合わせると、耐穿刺性が予想外に３０〜４０％増加することに気付いた。
【００６７】
したがって、金属と織物繊維の特性の同様の相乗効果は、繊維を布地の単一層に織り込むことによっても可能である。
【００６８】
図８は、切り取られた親指伸張部および切り取られた指伸張部を有する本発明の一実施形態の折り畳まれた象パターン層の概略平面図を示す。
【００６９】
図８の折り畳まれた象パターン層２１５は、切り取られた親指伸張部１４２を備える第１の手のひら領域１３５を有するものとして示されている。そのパターンは、第２の手のひら領域（図示せず）に結合され得る下部手のひら端１５５で折り畳むことができ、その第２の手のひら領域は、１つ以上の指伸張部１５０およびその領域に取り付けられた１つ以上の切り取られた指伸張部１５２を有し得る。
【００７０】
切り取られた指伸張部または切り取られた親指伸張部を有する保護材料の１つ以上の金属メッシュ層または１つ以上の織物層を有する目的は、着用者の対応する指のさらなる柔軟性を可能にすることであり得る。手袋は、例えば、手袋を着用している間に銃器を使用したいエージェントによって使用されてもよい。例えば、手袋の親指と人差し指の柔軟性を高め、かさばらないことにより、着用者は、ピストルをより簡単に保持して発射できるようになる。
【００７１】
切り取られた保護を有する手袋の代替バージョンでは、親指の残りの部分を覆うサイズと形状であるが、象パターンの残りの部分から切り離された追加の材料片が存在する場合がある。そのようにして、親指と指の大部分に保護を提供しながら、柔軟性を維持することができる。
【００７２】
図９Ａは、本発明の一実施形態の扇型の３ピース手袋パターン２８０の切り抜きの概略平面図を示す。
【００７３】
示されるように、扇型の３ピース手袋パターン２８０は、扇型手袋パターンの親指ピース２８１、扇型手袋パターンの指ピース２８２、および扇型手袋パターンの手のひらピース２８３を有し得る。扇型の３ピース手袋パターン２８０を使用して、織物層、金属メッシュ層またはその両方を切断することができる。好ましい実施形態では、扇型の３ピース手袋パターン２８０のピースは、親指伸張部および指伸張部のいずれかまたは両方が上記のような理由でバイアスカットされるように配置されてもよい。
【００７４】
図９Ｂは、本発明の一実施形態の組み立てられた扇型の３ピース手袋パターン２８５の概略平面図を示す。親指ピース２８１、指ピース２８２および手のひらピース２８３は、例えば、縫合、接着、ステープル留め、溶接、スポット接着、スポット縫合、スポット溶接またはそれらの組み合わせなどの任意の適切な手段によって一緒に組み立てられ得る。そのピースは、加えてまたは代わりに、適切な形状の内側保護層および外側保護層によって所定の位置に保持することができ、その保護層は、例えば、縫合によって周辺で接合されるか、パターンの内部を横切る縫合によって接合され得る。
【００７５】
図１０Ａは、本発明の一実施形態の七面鳥型の３ピース手袋パターン２９０の切り抜きの概略平面図を示す。
【００７６】
示されるように、七面鳥型の３ピース手袋パターン２９０は、七面鳥型手袋パターンの親指ピース２９１、七面鳥型手袋パターンの指ピース２９２、および七面鳥型手袋パターンの手のひらピース２９３を有し得る。扇型の３ピース手袋パターン２９０を使用して、織物層、金属メッシュ層またはその両方を切断することができる。好ましい実施形態では、七面鳥型の３ピース手袋パターン２９０のピースは、親指伸張部および指伸張部の一方または両方が上記のような理由でバイアスカットされるように配置されてもよい。
【００７７】
図１０Ｂは、本発明の一実施形態の組み立てられた七面鳥型３ピース手袋パターンの第２のピボット２９５の概略平面図を示す。親指ピース２９１、指ピース２９２、および手のひらピース２９３は、例えば、縫合、接着、ステープル留め、溶接、スポット接着、スポット縫合、スポット溶接またはそれらの組み合わせなどの任意の適切な手段によって組み立てられてもよい。そのピースは、加えてまたは代わりに、適切な形状の内側保護層および外側保護層によって所定の位置に保持することができ、その保護層は、例えば、縫合によって周辺で接合されるか、パターンの内部を横切る縫合によって接合され得る。
【００７８】
図１１は、本発明の一実施形態の一対の保護パンツ３０５の概略正面図と、線３３０で見た複合布地構造３５５の概略図を示している。
【００７９】
保護パンツ３０５は、例えば、パンツベルト３２０およびジッパーファスナー３２５またはそれらの組み合わせなどの特徴を有する従来の設計であってもよい。保護パンツ３０５は、図１１に概略的に示されるような複合布構造３３５を有する本発明の複合布地の全体または一部で製造されてもよい。
【００８０】
複合布地構造体３３５は、例えば、保護パンツのセクションの線３３０での構造体の例示であり得る。複合布地構造体３３５は、内側裏地３４０、内側または第１の織物層束３４５、内側または第１の金属メッシュ束３５０、外側または第２の金属メッシュ束３５５、外側または第２の織物層束３６０と外側布地３６５を含み得る。
【００８１】
好ましい実施形態では、第１の織物層束３４５および第１の金属メッシュ束３５０は、一緒に接合されてもよいが、第２の金属メッシュ束３５５および第１の金属メッシュ束３５０とは別個であってもよく、第２の金属メッシュ束３５５および第１の金属メッシュ束３５０は、一緒に接合されてもよい。次いで、その２つの分離された、内側もしくは第１の、そして外側もしくは第２のグループの束は、衣類を構成するセクションの周囲で接合され得る内側裏地３４０と外側布地３６５との間に挟まれ得る。
【００８２】
織物束層は、例えば、前記織物層の内部を横切って延びる縫合によって互いに結合され、一方、金属メッシュ束層は、例えば、金属メッシュ層の周辺に沿った縫合によって接合され得る。
【００８３】
代替実施形態では、内側および外側布地は、布地束の内側および外側のグループに直接接合されてもよい。
【００８４】
内側および外側の金属メッシュ束は、織られたステンレス鋼繊維で作られてもよく、繊維組成および上記の金属メッシュの一部またはすべての特性を有する金属メッシュ層を含んでもよい。
【００８５】
本発明の好ましい実施形態では、内側および外側の織物層束ならびに内側および外側の金属メッシュ束のそれぞれは、３〜８層の布地を有することができる。本発明のさらに好ましい実施形態では、内側および外側の織物束ならびに内側および外側金属メッシュ束のそれぞれは、５層の布地を有してもよく、そこで織物層は、２デシテックス以下の繊維デニールを有する繊維から織られ、織るために、５００以上の繊維を有する糸に束ねられ、そこで金属メッシュ層は、０．２ｍｍ以下の直径および０．４５ｍｍ以下のメッシュ開口を有するステンレス鋼繊維の織られたメッシュから作られる。
【００８６】
図１１に示すように、保護パンツ３０５は、例えば、追加の保護の膝領域３１０および／または追加の保護の股領域３１５などの追加の保護領域を含むことができる。追加の保護領域を有することで、例えば、最も保護が必要な領域で望ましいレベルの保護を提供しながら、衣服を費用対効果の高いものにすることができる。
【００８７】
図１２は、着用されている本発明で具体化された人間が着用可能な防護服の概略正面図を示す。
【００８８】
人間が着用可能な防護服１０１は、例えば、ヘルメット４２５、保護スリーブ４１５、保護ジャケット４４０、手袋４０５、脚プロテクター４３５、膝保護具４１０および保護靴４３０など、上記の複合布地を使用して作られた様々なアイテムを含むことができる。
【００８９】
図１３は、本発明の一実施形態の保護ベストの概略正面図を示す。
【００９０】
保護ベスト４２０は、例えば、肩ハーネス４４５、保護プレートポーチ４５０および固定ストラップ４５５など、上述の複合材料で作られた様々な部品を含むことができる。保護ベスト４２０は、例えば、フックおよびループ固定材料４６０などの、他の材料を組み込むことができる。
【００９１】
本発明の様々な実施形態を、主に保護手袋、保護ベスト、保護ズボンおよび保護レギンスである衣服を参照して上記で説明した。しかしながら、当業者であれば、上記の本発明の材料および方法はすべて、例えば、保護ヘッドギア、保護スリーブ、保護膝ガード、保護靴カバー、保護靴底および保護ブーツなどを含む広範囲の防護服にも適用できることを理解するであろう。さらに、上記の材料を使用して、例えば、警察犬および馬などの動物に防護服を提供することができる。さらに、上記の材料を使用して、例えば、携帯電子機器、コンピューター、配管、電子機器、車両の一部および液体運搬容器などの脆弱なアイテムを保護する保護構造を提供することもできる。
【００９２】
本発明をある程度詳細に説明したが、本開示は例示のためにのみなされたものであり、部品の構造および配置の詳細における多くの変更は、本発明の精神および範囲から逸脱することなく行うことができることを理解されたい。
【産業上の利用可能性】
【００９３】
本発明は、衣料産業、特に衣料産業の防護衣料分野に利用可能性を有する。
【図１Ａ】
2020521062.tif 000003
【図１Ｂ】
2020521062.tif 000004
【図２Ａ】
2020521062.tif 000005
【図２Ｂ】
2020521062.tif 000006
【図３】
2020521062.tif 000007
【図４】
2020521062.tif 000008
【図５】
2020521062.tif 000009
【図６】
2020521062.tif 000010
【図７】
2020521062.tif 000011
【図８】
2020521062.tif 000012
【図９Ａ】
2020521062.tif 000013
【図９Ｂ】
2020521062.tif 000014
【図１０Ａ】
2020521062.tif 000015
【図１０Ｂ】
2020521062.tif 000016
【図１１】
2020521062.tif 000017
【図１２】
2020521062.tif 000018
【図１３】
2020521062.tif 000019
【国際調査報告】
2020521062.tif 000020
2020521062.tif 000021